(57)【要約】【課題】浴槽水Ｗ中に発生させる気泡を微細化し、もって優れたマッサージ効果や、疲労回復効果を得られる浴槽用気泡発生装置１０を提供する。【解決手段】気液混合器１４で空気を混入して発生させた浴槽水Ｗ中の気泡を衝突ブロック片２１に当たって微細気泡にする。さらに、微細気泡を、ギヤポンプ１１の吐出口１１ｎに形成した段差面１１ｓに当てて、より微細化する。気液混合器１４から空気が混入するのに加え、エゼクタ２２によって生じた浴槽水Ｗの圧力低下に伴って、さらに空気を空気供給管を介して浴槽水Ｗに混入させる。ポンプにギヤポンプ１１を使用し、気泡をギヤポンプ１１のギヤロータ１１ｂ、１１ｃによって微細化する。【選択図】図１
2020103484.tif 000002
【特許請求の範囲】
【請求項１】
浴槽の外に設置されるポンプと、ポンプの吸込口に接続された吸込側管路と、吸込側管路に接続された気液混合器と、ポンプの吐出口に設置された衝突部材と、ポンプの吐出口に接続された吐出側管路を備え、
浴槽中の浴槽水を、吸込側管路を通してポンプへ吸込み、吸い込んだ浴槽水をポンプから吐出側管路を通して浴槽中に吐出して浴槽とポンプとの間を循環させ、
吸込側管路を通る浴槽水の中に気液混合器から空気を混入して浴槽水の中に気泡を発生させ、
浴槽水の中の気泡が衝突部材に衝突するようにしたことを特徴とする浴槽用気泡発生装置。
【請求項２】
ポンプの吐出口に拡径部と縮径部を形成するとともに、拡径部と縮径部の境界に段差面を形成し、
拡径部の中央部に前記衝突部材を設けて、衝突部材の周面に沿った流路を形成し、該流路を流れる浴槽水が段差面に当たった後に縮径部に流入するように拡径部と縮径部を連通させたことを特徴とする請求項１に記載の浴槽用気泡発生装置。
【請求項３】
吐出側管路中にエゼクタを設け、エゼクタに空気供給管を接したことを特徴とする請求項１に記載の浴槽用気泡発生装置。
【請求項４】
前記ポンプにギヤポンプを使用することを特徴とする請求項１に記載の浴槽用気泡発生装置。
【発明の詳細な説明】
【技術分野】
【０００１】
本発明は一般家庭の浴室、公衆浴場、温泉施設などに設置される比較的小規模な浴槽に溜められた浴槽水の中に空気を混入することで、気泡を発生させる浴槽用気泡発生装置に関する。
【背景技術】
【０００２】
入浴中の浴槽水の中に気泡を発生させると、入浴者の皮膚に適度の刺激が与えられ、マッサージ効果や疲労回復効果などが得られることが広く知られている。このため、従来から様々な方式の浴槽用気泡発生装置が開発されている。
【０００３】
例えば、特開２００４−８９３９１号公報には、浴槽の底部に敷いたマットに浴槽の外に設置したポンプから空気を供給し、マットに形成した多数の小孔から空気を噴出させることで、浴槽水の中に気泡を発生させる浴槽用気泡発生装置が開示されている。
【０００４】
また、特開平１１−１８８０７０号公報には、水中ポンプの吐出ノズル中にパイプを突出し、このパイプの先端を吐出口に向けて斜めに設け、パイプに空気導入チューブを接続した浴槽用気泡発生装置が開示されている。
この浴槽用気泡発生装置によれば、水中ポンプを浴槽内に設置し、作動させると吐出ノズルから吐出する浴槽水にパイプから流入する空気が混入して気泡が発生し、気泡とともに浴槽内に浴槽水が噴出する。
【先行技術文献】
【特許文献】
【０００５】
【特許文献１】特開２００４−８９３９１号公報
【特許文献２】特開平１１−１８８０７０号公報
【発明の概要】
【発明が解決しようとする課題】
【０００６】
上記した従来の浴槽用気泡発生装置は、浴槽水の中に形成される気泡の径が大きいため、急速に浮上した後、浴槽水の水面で弾けて消失してしまう。そのため、浴槽水への酸素溶解量も少なく、また、入浴者の皮膚に与える刺激も小さいので、十分なマッサージ効果や、疲労回復効果が得られない。
本発明はかかる問題点に鑑み、浴槽水中に発生させる気泡を微細化し、もって優れたマッサージ効果や、疲労回復効果を得られる浴槽用気泡発生装置を提供することを目的とする。
【課題を解決するための手段】
【０００７】
請求項１に記載の発明は、浴槽用気泡発生装置であって、浴槽の外に設置されるポンプと、ポンプの吸込口に接続された吸込側管路と、吸込側管路に接続された気液混合器と、ポンプの吐出口に設置された衝突部材と、ポンプの吐出口に接続された吐出側管路を備え、
浴槽中の浴槽水を、吸込側管路を通してポンプへ吸込み、吸い込んだ浴槽水をポンプから吐出側管路を通して浴槽中に吐出して浴槽とポンプとの間を循環させ、
吸込側管路を通る浴槽水の中に気液混合器から空気を混入して浴槽水の中に気泡を発生させ、浴槽水の中の気泡が衝突部材に衝突するようにしたことを特徴とする。
【０００８】
請求項２に記載の発明は、請求項１に記載の浴槽用気泡発生装置において、
ポンプの吐出口に拡径部と縮径部を形成するとともに、拡径部と縮径部の境界に段差面を形成し、
拡径部の中央部に前記衝突部材を設けて、衝突部材の周面に沿った流路を形成し、該流路を流れる浴槽水が段差面に当たった後に縮径部に流入するように拡径部と縮径部を連通させたことを特徴とする。
【０００９】
請求項３に記載の発明は、請求項１に記載の浴槽用気泡発生装置において、
吐出側管路中にエゼクタを設け、エゼクタに空気供給管を接したことを特徴とする。
【００１０】
請求項４に記載の発明は、請求項１に記載の浴槽用気泡発生装置において、
前記ポンプにギヤポンプを使用することを特徴とする。
【発明の効果】
【００１１】
請求項１に記載の発明によれば、気液混合器で空気を混入して発生させた浴槽中の気泡が衝突部材に当たって微細気泡になるので、マッサージ効果や疲労回復効果を高めることができる。
【００１２】
請求項２に記載の発明によれば、浴槽水の中の気泡が衝突部材に当たって生じた微細気泡が、さらに段差面に当たることで、より微細化する。
【００１３】
請求項３に記載の発明によれば、循環する浴槽水の中に気液混合器から空気が混入するのに加え、エゼクタによって浴槽水の圧力が低下し、それに伴い空気供給管から空気が吸引されて混入するので、浴槽水中に多量の気泡が発生し、酸素溶解量も増大し、よりマッサージ効果や疲労回復効果を高めることができる。
【００１４】
請求項４に記載の発明によれば、浴槽水を循環させるポンプにギヤポンプを使用するので、気液混合器で空気を混入して発生させた浴槽中の気泡がギヤポンプのギヤロータによって微細化され、微細気泡となる。そのため、よりマッサージ効果や疲労回復効果を高めることができる。
【図面の簡単な説明】
【００１５】
【図１】本発明の実施例に係る浴槽用気泡発生装置の全体構成を示す説明図である。
【図２】同装置のギヤポンプを示す正面から見た断面図である。
【図３】同ギヤポンプを示す側面から見た部分断面図である。
【実施例】
【００１６】
以下に本発明を図面に基づき説明する。図１には本発明の一実施例に係る浴槽用気泡発生装置１０が示されている。当該気泡発生装置１０は、ギヤポンプ１１、吸込側管路１２、吐出側管路１３及び気液混合器１４を備えている。
【００１７】
ギヤポンプ１１の詳細を図２及び図３に示す。ギヤポンプ１１は長円形の断面形状を有するケーシング１１ａを備え、ケーシング１１ａに一対のギヤロータ１１ｂ，１１ｃが内蔵されている。ギヤロータ１１ｂの回転軸１１ｄは滑り軸受１１ｅでケーシング１１ａに回転可能に支承され、ギヤロータ１１ｃの回転軸１１ｆは滑り軸受１１ｇでケーシング１１ａに回転可能に支承され、両ギヤロータ１１ｂ，１１ｃが回転可能に歯合している。ギヤロータ１１ｃの回転軸１１ｆにはオイルシール１１ｈが装着されている。また、回転軸１１ｆはカップリング１１ｋを介して駆動モータ１５の駆動軸１５ａに連結されている。ケーシング１１ａと駆動モータ１５は防振ゴム１６を備えたベース１７に設置されている。
【００１８】
ギヤポンプ１１のケーシング１１ａには吸込口１１ｍと吐出口１１ｎ及び呼び水供給バルブ１１ｐが設けられ、吸込口１１ｍに気液混合器１４が接続されている。気液混合器１４は円筒状のケーシング１４ａを備え、ケーシング１４ａの側面に流入口１４ｂが設けられ、底面に流出口１４ｃが設けられている。そして、流入口１４ｂに吸込側管路１２が接続され、流出口１４ｃがギヤポンプ１１の吸込口１１ｍに接続されている。また、気液混合器１４のケーシング１４ａには空気供給管１８が接続され、ケーシング１４ａの内部に筒状フィルタ１４ｄが立設されている。空気供給管１８には空気量調整バルブ１９と空気吸込フィルタ２０が設けられている。
【００１９】
ギヤポンプ１１の吐出口１１ｎに拡径部１１ｑと縮径部１１ｒが形成され、拡径部１１ｑと縮径部１１ｒ境界に段差面１１ｓが形成されている。拡径部１１ｑの中央部には衝突ブロック片２１が設けられ、衝突ブロック片２１の周面に沿った流路１１ｔが形成されている。そして、該流路１１ｔを流れる浴槽水Ｗが段差面１１ｓに当たった後に縮径部１１ｒに流入するように拡径部１１ｑと縮径部１１ｒが連通されている。
【００２０】
吐出口１１ｎの下流の吐出側管路１３にエゼクタ２２が設けられ、その部分の吐出側管路１３の径が狭められている。エゼクタ２２には空気供給管２３が接続され、空気供給管２３に空気吸込フィルタ２４が設けられている。
【００２１】
吸込側管路１２の先端部には吸込ストレーナ２５が取り付けられ、吐出側管路１３の先端部には吐出ノズル２６が取り付けられている。駆動モータ１５は浴室２９の外部に設置した電源ボックス２７に配線コード２８を介して接続されるとともに、浴室２９に設置した手元スイッチ３０に配線コード３１を介して接続されている。電源ボックス２７はアース３２に接続されている。
【００２２】
本実施例に係る浴槽用気泡発生装置１０の構造は以上の通りであって、浴槽３３の中の浴槽水Ｗに吐出側管路１３の吐出ノズル２６と吸込側管路１２の吸込みストレーナ２５を浸し、手元スイッチ３０を操作して駆動モータ１５に通電し、ギヤポンプ１１を作動させると、浴槽水Ｗが吸込側管路１２を通してギヤポンプ１１へ吸引され、ギヤポンプ１１から吐出側管路１３を通して浴槽３３中に吐出され、浴槽３３とギヤポンプ１１の間を循環する。浴槽水Ｗが吸込側管路１２を通してギヤポンプ１１へ吸引されるとき、気液混合器１４で浴槽水Ｗに空気が混入し、浴槽水Ｗの中に気泡が発生する。
【００２３】
しかして、本実施例によれば、気液混合器１４で空気を混入して発生させた浴槽水Ｗ中の気泡が衝突ブロック片２１に当たって微細気泡になる。そして、浴槽水Ｗが衝突ブロック片２１に当たって生じた微細気泡が、さらにギヤポンプ１１の吐出口１１ｎに形成した段差面１１ｓに当たることで、より微細化するので、マッサージ効果や疲労回復効果を高めることができる。
【００２４】
循環する浴槽水Ｗの中に気液混合器１４から空気が混入するのに加え、エゼクタ２２によって生じた浴槽水Ｗの圧力低下に伴って、さらに空気が空気供給管２３を介して浴槽水Ｗに混入するので、浴槽水Ｗ中に多量の気泡が発生し、酸素溶解量も増大し、よりマッサージ効果や疲労回復効果を高めることができる。
【００２５】
浴槽水Ｗを循環させるポンプにギヤポンプ１１を使用するので、気液混合器１４で空気を混入して発生させた浴槽水Ｗ中の気泡がギヤポンプ１１のギヤロータ１１ｂ，１１ｃによって微細化され、微細気泡となる。そのため、よりマッサージ効果や疲労回復効果を高めることができる。
【符号の説明】
【００２６】
１０…浴槽用気泡発生装置
１１…ギヤポンプ
１１ａ…ケーシング
１１ｂ，１１ｃ…ギヤロータ
１１ｍ…吸込口
１１ｎ…吐出口
１１ｑ…拡径部
１１ｒ…縮径部
１１ｓ…段差面
１１ｔ…流路
１２…吸込側管路
１３…吐出側管路
１４…気液混合器
１４ｂ…流入口
１４ｃ…流出口
１５…駆動モータ
１８…空気供給管
２１…衝突ブロック片
２２…エゼクタ
２３…空気供給管
３３…浴槽
Ｗ…浴槽水
【図１】
2020103484.tif 000003
【図２】
2020103484.tif 000004
【図３】
2020103484.tif 000005